(57)【特許請求の範囲】
【請求項１】
ボールネジナットが螺嵌されるネジ軸と、
ネジ軸の直径よりも小さい内径を有するリップ部を有し、該ネジ軸に嵌合される複数のリップシールとを備えるボールネジであって、
該複数のリップシールのうちの少なくとも一のリップシールは、該リップ部が該ネジ軸の軸方向においてボールネジナットの反対側に向かって立ち上がるように該ネジ軸に貫通しており、
該複数のリップシールの残りのリップシールのうち、少なくとも一のリップシールは、該リップ部が該ネジ軸の軸方向において該ボールネジナットの側に向かって立ち上がるように該ネジ軸に貫通していることを特徴とするボールネジ。
【発明の詳細な説明】
【技術分野】
【０００１】
この発明は、レーザ加工機などで生じる加工粉塵やスパッタリングにより生じる粉塵対策を施した工作機械に使用されるボールネジに関する。
【背景技術】
【０００２】
レーザ加工機などの工作機械の加工部は加工対象に応じて移動を行う。ネジ部を有するボールネジのナットを移動部たる加工部などの機器内にとりつけ、このナットをボールネジのネジ軸に螺嵌して、ナットをネジ軸に可動的に固定する。ナット内に循環するように配置された多数のボール（不図示）がネジ軸のネジ部の溝内及びこれを径方向に対向するナットの溝内を転動し、ネジ軸のネジ部にしたがい、ネジ軸の軸方向に沿ったナットの移動が可能となる。そして、ネジ軸を回転させれば、加工部が移動する。ボールネジのネジ部にしたがってボールネジの軸方向に沿ってナットが移動し、ひいてはナットに取り付けられた加工部が移動する。
【発明の開示】
【発明が解決しようとする課題】
【０００３】
しかし、加工時に、ボールネジのネジ部に加工粉塵などが付着する問題があった。さらには、加工部たる移動部に取り付けられたナットのネジ部とボールネジのネジ軸との隙間に加工粉塵が入り込む問題もあった。このような加工粉塵は、加工部の移動に支障を与える問題があった。また、リップシールを一枚だけ使用するとすれば、十分な防塵効果が得られないおそれがあった。
【課題を解決するための手段】
【０００４】
ナットが螺嵌されるネジ軸と、ネジ軸の直径よりも小さい内径を有するリップ部を有し、該ネジ軸に嵌合される複数のリップシールとを備えるボールネジであって、該複数のリップシールのうちの少なくとも一のリップシールは該リップ部が外側に向かって立ち上がるように該ネジ軸に貫通しており、該リップ部は、ネジ軸の外周に沿って立ち上がった際に、該リップ部がその一部が全周に亘って該ネジ軸の外周に接するように貫通していることを特徴とするボールネジにより解決する。
【発明の効果】
【０００５】
複数枚のリップシールをボールネジに嵌合することで、防塵性が上昇する。
【発明を実施するための最良の形態】
【０００６】
（第一の実施の形態）
図１は、加工部たる移動部（不図示）に取り付けられたボールネジのナット（不図示）に螺嵌されているボールネジのネジ軸１を横からみた図である。ネジ軸１には、リップシール２，リップシール３およびリップシール４の３枚のリップシールの内周部分が摺動可能に嵌合されている。そしてリップシール２，リップシール３およびリップシール４は、ナット（不図示）の両端部にそれぞれ固設される。本実施の形態では、リップシールは３枚としているが、複数である限り、同じ効果を奏する。リップシール２，リップシール３およびリップシール４は、それぞれその中央部にリップ部２ａ，リップ部３ａとリップ部４ａとを持っている。リップ部２ａ，リップ部３ａとリップ部４ａは以下のように形成される。リップシール２，リッブシール３およびリップシール４は、それぞれの中央部に、リップ部２ａ，リップ部３ａ，リップ部４ａを全周に亘って備えている。リップ部２ａ，リップ部３ａ，リップ部４ａは、それぞれの内周部の径がネジ軸１のネジ溝の谷部分の直径より小さく、かつその内周部はネジ軸１の位置によらず、常にネジ軸１とのすきまを全周に亘って塞ぐのに十分な弾性変形能を有している。そして、リップシール２、リップシール３およびリッブシール４にボールネジのネジ軸１が貫通するように嵌合した際に、リップ部２ａとリップ部３ａとリップ部４ａとがネジ軸１の側部に沿って立ち上がって、ネジ軸１の外周にリップ部の面の一部が接する様に嵌合する。リップ部２ａとリップ部３ａとリップ部４ａは、十分な弾性変形能を有しているため、少なくともその一部がネジ軸１の全周に亘って、ネジ軸１の外周のすべて（山または谷のすべてを含めたネジ軸１の外周の全ての箇所）に隙間が無いように接している。
実施の形態１では、リップ部２ａ，リップ部３ａ，リップ部４ａは、塵が入り込んでくる方向となる外側（ボールネジナットと反対側）に向かって立ち上がっている。すなわち、複数のリップシールのうちの全リップシールのリップ部２ａ，リップ部３ａ，リップ部４ａが、塵が入り込んでくる方向たる外側に向かって立ち上がるようにネジ軸１に貫通していることになる。
【０００７】
そして、塵が入り込んでくる方向である外側に向かってリップ部が立ち上がるようにリップシールをネジ軸１に配置することで、ネジ軸１に沿って加工部内部に塵が入り込むことを防ぐことができる。
【０００８】
（第二の実施の形態）
図２は、加工部たる移動部（不図示）に取り付けられているナット（不図示）に螺嵌されているボールネジのネジ軸１を横からみた図である。ボールネジのネジ軸１に、リップシール２，リップシール３およびリップシール４の３枚のシールが貫通するように嵌合されていること、およびそれぞれのリップシールの中央にリップ部２ａ，リップ部３ａとリップ部４ａとを持っている点が同じである。また、リップ部２ａ，リップ部３ａとリップ部４ａの構成も第一の実施の形態と同じである。
リップ部２ａ，リップ部３ａは塵が入り込んでくる方向である外側に向かって立ち上がっていて、一部のリップシールのリップ部であるリップ部４ａは、他のリップシールであるリップシールのリップ部であるリップ部２ａ，リップ部３ａとは逆に、ボールネジナットの方向である内側（塵が入り込んでくる方向と反対の方向（ナット側））に向かって立ち上がっている。このように第二の実施の形態では、塵が入り込んでくる方向（ナットと反対側）に向かって立ち上がっているリップ部を有するリップシールの枚数が、塵が入り込んでくる方向と反対の方向（ナット側）に向かって立ちあがっているリップ部を有するリップシールの枚数よりも多くなっている。
すなわち、複数のリップシールのうちの少なくとも一のリップシールとなるリップシール２およびリップシール３のそれぞれのリップ部２ａとリップ部３ａとが塵が入り込んでくる方向たる外側に向かって立ち上がるようにネジ軸１に貫通していることになる。
塵が入り込んでくる方向に向かって立ち上がっているリップ部を有するリップシールの枚数が、塵が入り込んでくる方向と反対の方向に向かって立ち上がっているリップ部を有するリップシールの枚数よりも多くなるように、リップシールをボールネジに配置することで、ボールネジに沿って加工部内部に塵が入り込むことを防ぐ効果をさらに高めることができる。特に、最外部のリップシールが磨耗によりシール性能が低下したとしても、他のリップシールでその低下分をカバーすることができる。
【０００９】
（第三の実施の形態）
図３は、加工部たる移動部（不図示）に螺嵌されているネジ軸１を横からみた図である。
ボールネジのネジ軸１に、リップシール２，リップシール３およびリップシール４の３枚のシールが貫通するように嵌合されていること、およびそれぞれのリップシールの中央にリップ部２ａ，リップ部３ａとリップ部４ａとを持っている点が同じである。また、リップ部２ａ，リップ部３ａとリップ部４ａの構成も第一の実施の形態と同じである。
【００１０】
一部のリップシールのリップ部である２ａは塵が入り込んでくる方向である外側に向かって立ち上がっていて、他方のリップシールのリップ部であるリップ部３ａとリップ部４ａはそれと逆に、ボールネジナット側の方向（塵が入り込んでくる方向と反対の方向）に向かって立ち上がっている。第三の実施の形態では、塵が入り込んでくる方向に向かって立ち上がっているリップ部を有するリップシールの枚数が、塵が入り込んでくる方向と反対の方向に向かって立ち上がっているリップ部を有するリップシールの枚数よりも少なくなっている。
すなわち、複数のリップシールのうちの少なくとも一のリップシールとなるリップシール２のリップ部２ａが塵が入り込んでくる方向たる外側に向かって立ち上がるようにネジ軸１に貫通していることになる。
このように、塵が入り込んでくる方向に立ち上がっているリップ部を有するリッブシールの枚数が、塵が入り込んでくる方向と反対の方向に立ち上がっているリップ部を有するリップシールの枚数よりも少なくなるように、リップシールをボールネジに配置することで、加工部とのナット内のグリースの保持能力を向上させ潤滑性能を高めることができる。
さらに、グリースの密閉性を向上させ、グリースの飛散を防止する効果がある。
【図面の簡単な説明】
【００１１】
【図１】第一の実施の形態のボールネジのネジ軸とリップシールの配置を示した概略図である。
【図２】第二の実施の形態のボールネジのネジ軸とリップシールの配置を示した概略図である。
【図３】第三の実施の形態のボールネジのネジ軸とリップシールの配置を示した概略図である。
【符号の説明】
【００１２】
１  ネジ軸
２，３，４  リップシール
２ａ，３ａ，４ａ  リップ部
【図１】
0004736131.tif 000002
【図２】
0004736131.tif 000003
【図３】
0004736131.tif 000004